(57)【要約】【課題】  操作が限定されるような機器においても、簡便な操作により複数画像のレイアウト指定ができて、少なくとも特定の印刷装置においては、用紙上でのレイアウトを厳密に指定し、指定どおりの印刷結果が得られるようにする。【解決手段】  インデックス印刷が指示されると、画像識別子をマーク可能なインデックス印刷とレイアウトフォームとを印刷する。また、マークしたインデックス印刷と、記入済のレイアウトフォームをスキャナで読み取ると、指定画像を指定レイアウトで印刷することができるようにすることにより、プリンタに依存しない印刷結果を得ることができるようにして、少ない操作手段しかもたない機器においても、細かなレイアウト指定を行いながら印刷を行うようにすることができるようにする。【選択図】  図１
2006115019.tif 000002
【特許請求の範囲】
【請求項１】
複数の画像ファイルからいくつかの画像を選択し、前記選択した画像をレイアウトして印刷する画像印刷システムにおいて、
前記複数の画像ファイルの縮小画像に、画像ファイルを特定する画像特定符号を付した画像一覧を印刷するインデックス印刷手段と、
１つまたは複数の選択画像を指定するための画像特定符号と、前記選択画像のレイアウトとを記入するレイアウトフォームを印刷するレイアウトフォーム印刷手段と、
前記選択画像と選択画像のレイアウトとが記入済みのレイアウトフォームを画像情報として読み取るレイアウトフォーム読み取り手段と、
前記レイアウトフォーム読み取り手段により読み取った画像情報から前記選択画像と選択画像のレイアウトとを判別するレイアウト判別手段と、
前記レイアウト判別手段により判別した選択画像と選択画像のレイアウトとに基づいて選択画像を印刷するレイアウト印刷手段とを有することを特徴とする画像印刷システム。
【請求項２】
複数の画像ファイルからいくつかを選択し、選択した画像をレイアウトして印刷する画像印刷システムにおいて、
複数の画像ファイルの縮小画像に画像ファイルを特定するためのマーク記入欄を付した画像一覧を印刷するインデックス印刷手段と、
１つまたは複数の選択画像を指定するためのマークと、前記選択画像のレイアウトとを記入するレイアウトフォームを印刷するレイアウトフォーム印刷手段と、
記入済みのインデックス印刷を画像情報として読み取るインデックス印刷読み取り手段と、
記入済みのレイアウトフォームを画像情報として読み取るレイアウトフォーム読み取り手段と、
前記読み取った画像情報から選択画像と選択画像のレイアウトとを判別するレイアウト判別手段と、
前記レイアウト判別手段により判別した選択画像と選択画像のレイアウトに基づいて選択画像を印刷するレイアウト印刷手段とを有することを特徴とする画像印刷システム。
【請求項３】
前記レイアウト判別手段により判別した選択画像と選択画像のレイアウトに基づいて選択画像をレイアウト印刷するためのスクリプトファイルを生成するスクリプトファイル生成手段を有することを特徴とする請求項１または２に記載の画像印刷システム。
【請求項４】
前記スクリプトファイルはXHTMLファイルであることを特徴とする請求項３に記載の画像印刷システム。
【請求項５】
前記スクリプトファイルは、DPOF自動プリントファイルと、選択画像を特定するID情報と選択画像の位置情報からなるレイアウトイメージ管理表ファイルとからなることを特徴とする請求項３に記載の画像印刷システム。
【請求項６】
前記レイアウトフォームは合同な矩形を格子状に並べたフォームであることを特徴とする請求項１または２に記載の画像印刷システム。
【請求項７】
複数の画像ファイルからいくつかの画像を選択し、前記選択した画像をレイアウトして印刷する画像印刷方法において、
前記複数の画像ファイルの縮小画像に、画像ファイルを特定する画像特定符号を付した画像一覧を印刷するインデックス印刷工程と、
１つまたは複数の選択画像を指定するための画像特定符号と、前記選択画像のレイアウトとを記入するレイアウトフォームを印刷するレイアウトフォーム印刷工程と、
前記選択画像と選択画像のレイアウトとが記入済みのレイアウトフォームを画像情報として読み取るレイアウトフォーム読み取り工程と、
前記レイアウトフォーム読み取り工程により読み取った画像情報から前記選択画像と選択画像のレイアウトとを判別するレイアウト判別工程と、
前記レイアウト判別工程により判別した選択画像と選択画像のレイアウトとに基づいて選択画像を印刷するレイアウト印刷工程とを有することを特徴とする画像印刷方法。
【請求項８】
複数の画像ファイルからいくつかを選択し、選択した画像をレイアウトして印刷する画像印刷方法において、
複数の画像ファイルの縮小画像に画像ファイルを特定するためのマーク記入欄を付した画像一覧を印刷するインデックス印刷工程と、
１つまたは複数の選択画像を指定するためのマークと、前記選択画像のレイアウトとを記入するレイアウトフォームを印刷するレイアウトフォーム印刷工程と、
記入済みのインデックス印刷を画像情報として読み取るインデックス印刷読み取り工程と、
記入済みのレイアウトフォームを画像情報として読み取るレイアウトフォーム読み取り工程と、
前記読み取った画像情報から選択画像と選択画像のレイアウトとを判別するレイアウト判別工程と、
前記レイアウト判別工程により判別した選択画像と選択画像のレイアウトに基づいて選択画像を印刷するレイアウト印刷工程とを有することを特徴とする画像印刷方法。
【請求項９】
前記レイアウト判別工程により判別した選択画像と選択画像のレイアウトとに基づいて選択画像をレイアウト印刷するためのスクリプトファイルを生成するスクリプトファイル生成工程を有することを特徴とする請求項７または８に記載の画像印刷方法。
【請求項１０】
前記スクリプトファイルはXHTMLファイルであることを特徴とする請求項９に記載の画像印刷方法。
【請求項１１】
前記スクリプトファイルは、DPOF自動プリントファイルと、選択画像を特定するID情報と選択画像の位置情報からなるレイアウトイメージ管理表ファイルとからなることを特徴とする請求項９に記載の画像印刷方法。
【請求項１２】
前記レイアウトフォームは合同な矩形を格子状に並べたフォームであることを特徴とする請求項７または８に記載の画像印刷方法。
【請求項１３】
前記画像特定符号は文字列よりなり、前記レイアウト判別工程は文字認識により選択画像の画像特定符号を判別することを特徴とする請求項７または８に記載の画像印刷方法。
【請求項１４】
前記画像特定符号はインデックス番号であることを特徴とする請求項７または８に記載の画像印刷方法。
【請求項１５】
前記画像特定符号はファイル名であることを特徴とする請求項７または８に記載の画像印刷方法。
【請求項１６】
複数の画像ファイルからいくつかの画像を選択し、前記選択した画像をレイアウトして印刷する画像印刷方法をコンピュータに実行させるプログラムにおいて、
前記複数の画像ファイルの縮小画像に、画像ファイルを特定する画像特定符号を付した画像一覧を印刷するインデックス印刷工程と、
１つまたは複数の選択画像を指定するための画像特定符号と、前記選択画像のレイアウトとを記入するレイアウトフォームを印刷するレイアウトフォーム印刷工程と、
前記選択画像と選択画像のレイアウトとが記入済みのレイアウトフォームを画像情報として読み取るレイアウトフォーム読み取り工程と、
前記レイアウトフォーム読み取り工程により読み取った画像情報から前記選択画像と選択画像のレイアウトとを判別するレイアウト判別工程と、
前記レイアウト判別工程により判別した選択画像と選択画像のレイアウトとに基づいて選択画像を印刷するレイアウト印刷工程とをコンピュータに実行させることを特徴とするコンピュータプログラム。
【請求項１７】
複数の画像ファイルからいくつかを選択し、選択した画像をレイアウトして印刷する画像印刷方法をコンピュータに実行させるプログラムにおいて、
複数の画像ファイルの縮小画像に画像ファイルを特定するためのマーク記入欄を付した画像一覧を印刷するインデックス印刷工程と、
１つまたは複数の選択画像を指定するためのマークと、前記選択画像のレイアウトとを記入するレイアウトフォームを印刷するレイアウトフォーム印刷工程と、
記入済みのインデックス印刷を画像情報として読み取るインデックス印刷読み取り工程と、
記入済みのレイアウトフォームを画像情報として読み取るレイアウトフォーム読み取り工程と、
前記読み取った画像情報から選択画像と選択画像のレイアウトとを判別するレイアウト判別工程と、
前記レイアウト判別工程により判別した選択画像と選択画像のレイアウトに基づいて選択画像を印刷するレイアウト印刷工程とをコンピュータに実行させることを特徴とするコンピュータプログラム。
【請求項１８】
前記請求項１６または１７に記載のコンピュータプログラムを記録したことを特徴とするコンピュータ読み取り可能な記録媒体。
【請求項１９】
複数の画像ファイルからいくつかの画像を選択し、前記選択した画像をレイアウトして印刷する画像印刷システムを構成する撮像装置であって、
前記複数の画像ファイルを生成する画像ファイル生成手段を有することを特徴とする撮像装置。
【請求項２０】
複数の画像ファイルからいくつかの画像を選択し、前記選択した画像をレイアウトして印刷する画像印刷システムを構成する画像印刷装置であって、
前記複数の画像ファイルの縮小画像に、画像ファイルを特定する画像特定符号を付した画像一覧を印刷するインデックス印刷手段と、
１つまたは複数の選択画像を指定するための画像特定符号と、前記選択画像のレイアウトとを記入するレイアウトフォームを印刷するレイアウトフォーム印刷手段と、
前記選択した選択画像と選択画像のレイアウトとに基づいて選択画像を印刷するレイアウト印刷手段とを有することを特徴とする画像印刷装置。
【請求項２１】
複数の画像ファイルからいくつかを選択し、選択した画像をレイアウトして印刷する画像印刷装置において、
複数の画像ファイルの縮小画像に画像ファイルを特定するためのマーク記入欄を付した画像一覧を印刷するインデックス印刷手段と、
１つまたは複数の選択画像を指定するためのマークと、前記選択画像のレイアウトとを記入するレイアウトフォームを印刷するレイアウトフォーム印刷手段と、
記入済みのインデックス印刷を画像情報として読み取るインデックス印刷読み取り手段と、
記入済みのレイアウトフォームを画像情報として読み取るレイアウトフォーム読み取り手段と、
前記読み取った画像情報から選択画像と選択画像のレイアウトとを判別するレイアウト判別手段と、
前記レイアウト判別手段により判別した選択画像と選択画像のレイアウトに基づいて選択画像を印刷するレイアウト印刷手段とを有することを特徴とする画像印刷装置。
【請求項２２】
前記レイアウト判別手段により判別した選択画像と選択画像のレイアウトとに基づいて選択画像をレイアウト印刷するためのスクリプトファイルを生成するスクリプトファイル生成手段を有することを特徴とする請求項２０または２１に記載の画像印刷装置。
【請求項２３】
前記スクリプトファイルはXHTMLファイルであることを特徴とする請求項２２に記載の画像印刷装置。
【請求項２４】
前記スクリプトファイルは、DPOF自動プリントファイルと、選択画像を特定するID情報と選択画像の位置情報からなるレイアウトイメージ管理表ファイルとからなることを特徴とする請求項２２に記載の画像印刷装置。
【請求項２５】
前記レイアウトフォームは合同な矩形を格子状に並べたフォームであることを特徴とする請求項２０または２１に記載の画像印刷装置。
【請求項２６】
前記画像特定符号は文字列よりなり、前記レイアウト判別手段は文字認識により選択画像の画像特定符号を判別することを特徴とする請求項２０に記載の画像印刷装置。
【請求項２７】
前記画像特定符号はインデックス番号であることを特徴とする請求項２０または２１に記載の画像印刷装置。
【請求項２８】
前記画像特定符号はファイル名であることを特徴とする請求項２０または２１に記載の画像印刷装置。
【請求項２９】
複数の画像ファイルからいくつかの画像を選択し、前記選択した画像をレイアウトして印刷する画像印刷システムを構成する読み取り装置であって、
所定の処理によって選択された選択画像と選択画像のレイアウトとが記入済みのレイアウトフォームを画像情報として読み取るレイアウトフォーム読み取り手段を有することを特徴とする読み取り装置。
【発明の詳細な説明】
【技術分野】
【０００１】
本発明は画像印刷システム及び画像印刷方法に関し、特に、画像ファイルを選択し、レイアウトを指定して印刷するために用いて好適な技術に関する。
【背景技術】
【０００２】
近年、デジタルカメラの普及により、デジタル画像の印刷に対する需要が急速に増えている。このような需要に応ずるものとしてDPOF（ディーポフ；digital print order format）がある。前記DPOFはデジタルカメラベンダーが作った規格で、デジタルカメラで印刷する画像を指定したり、プリントの注文をしたりできるようにする。また、対応プリンタで印刷することもできる。DPOF1.1では一枚の用紙に複数の画像の印刷を指定することも可能になった（例えば、特許文献１にて提案されている「印刷装置、方法」を参照）。
【０００３】
また、デジタル画像を用紙上にレイアウトして印刷したいという要求もある。この要求に応ずるものとしてXHTML-Printがある。これはW3C（WWW Consortium）において規格化が進められているもので、モバイル機器からフルページバッファを持たないような安価なプリンタへの印刷に適するように設計されている。また、プリンタ固有のドライバのインストールができない、あるいは望めないような環境、印刷結果の出力書式の可変性が許容される環境での印刷が目標とされている。
【０００４】
【特許文献１】特開２０００−２８９２８３号公報
【発明の開示】
【発明が解決しようとする課題】
【０００５】
しかしながら、前記特許文献１に記載の「印刷装置、方法」の場合には、DPOFでは１枚の用紙に複数の画像の印刷を指定した場合、そのレイアウトは指定することができず、印刷結果はプリンタに依存するという問題があった。
【０００６】
また、XHTML-Printは画像をレイアウトして印刷することができるが、用紙上でのレイアウトを厳密に規定するものではなく、レイアウト結果はプリンタに依存し、実際レイアウトは印刷して見なければ分からないという問題があった。さらに、XHTMLはマークアップ言語であり、ユーザが任意のレイアウトを指定する場合には、XHTMLドキュメントを編集する必要があり、デジタルカメラなど操作が限定される機器においては、自由なレイアウト指定は困難であるという問題があった。
【０００７】
本発明は前述の問題点にかんがみ、操作が限定されるような機器においても、簡便な操作により複数画像のレイアウト指定ができて、少なくとも特定の印刷装置においては、用紙上でのレイアウトを厳密に指定し、指定どおりの印刷結果が得られるようにすることを第１の目的とする。
また、厳密さは保証しないとしても特定の印刷装置以外の印刷装置でも類似のレイアウトで印刷可能なスクリプトファイルを生成できるようにすることを第２の目的としている。
【課題を解決するための手段】
【０００８】
本発明の画像印刷システムは、複数の画像ファイルからいくつかの画像を選択し、前記選択した画像をレイアウトして印刷する画像印刷システムにおいて、前記複数の画像ファイルのサムネール画像に、画像ファイルを特定する画像特定符号を付した画像一覧を印刷するインデックス印刷手段と、１つまたは複数の選択画像を指定するための画像特定符号と、前記選択画像のレイアウトとを記入するレイアウトフォームを印刷するレイアウトフォーム印刷手段と、前記選択画像と選択画像のレイアウトとが記入済みのレイアウトフォームを画像情報として読み取るレイアウトフォーム読み取り手段と、前記レイアウトフォーム読み取り手段により読み取った画像情報から前記選択画像と選択画像のレイアウトとを判別するレイアウト判別手段と、前記レイアウト判別手段により判別した選択画像と選択画像のレイアウトとに基づいて選択画像を印刷するレイアウト印刷手段とを有することを特徴としている。
また、本発明の画像印刷システムの他の特徴とするところは、複数の画像ファイルからいくつかを選択し、選択した画像をレイアウトして印刷する画像印刷システムにおいて、
複数の画像ファイルのサムネール画像に画像ファイルを特定するためのマーク記入欄を付した画像一覧を印刷するインデックス印刷手段と、１つまたは複数の選択画像を指定するためのマークと、前記選択画像のレイアウトとを記入するレイアウトフォームを印刷するレイアウトフォーム印刷手段と、記入済みのインデックス印刷を画像情報として読み取るインデックス印刷読み取り手段と、記入済みのレイアウトフォームを画像情報として読み取るレイアウトフォーム読み取り手段と、前記読み取った画像情報から選択画像と選択画像のレイアウトとを判別するレイアウト判別手段と、前記レイアウト判別手段により判別した選択画像と選択画像のレイアウトに基づいて選択画像を印刷するレイアウト印刷手段とを有することを特徴としている。
【０００９】
本発明の画像印刷方法は、複数の画像ファイルからいくつかの画像を選択し、前記選択した画像をレイアウトして印刷する画像印刷方法において、前記複数の画像ファイルのサムネール画像に、画像ファイルを特定する画像特定符号を付した画像一覧を印刷するインデックス印刷工程と、１つまたは複数の選択画像を指定するための画像特定符号と、前記選択画像のレイアウトとを記入するレイアウトフォームを印刷するレイアウトフォーム印刷工程と、前記選択画像と選択画像のレイアウトとが記入済みのレイアウトフォームを画像情報として読み取るレイアウトフォーム読み取り工程と、前記レイアウトフォーム読み取り工程により読み取った画像情報から前記選択画像と選択画像のレイアウトとを判別するレイアウト判別工程と、前記レイアウト判別工程により判別した選択画像と選択画像のレイアウトとに基づいて選択画像を印刷するレイアウト印刷工程とを有することを特徴としている。
また、本発明の画像印刷方法の他の特徴とするところは、複数の画像ファイルからいくつかを選択し、選択した画像をレイアウトして印刷する画像印刷方法において、複数の画像ファイルのサムネール画像に画像ファイルを特定するためのマーク記入欄を付した画像一覧を印刷するインデックス印刷工程と、１つまたは複数の選択画像を指定するためのマークと、前記選択画像のレイアウトとを記入するレイアウトフォームを印刷するレイアウトフォーム印刷工程と、記入済みのインデックス印刷を画像情報として読み取るインデックス印刷読み取り工程と、記入済みのレイアウトフォームを画像情報として読み取るレイアウトフォーム読み取り工程と、前記読み取った画像情報から選択画像と選択画像のレイアウトとを判別するレイアウト判別工程と、前記レイアウト判別工程により判別した選択画像と選択画像のレイアウトに基づいて選択画像を印刷するレイアウト印刷工程とを有することを特徴としている。
【００１０】
本発明のコンピュータプログラムは、複数の画像ファイルからいくつかの画像を選択し、前記選択した画像をレイアウトして印刷する画像印刷方法をコンピュータに実行させるプログラムにおいて、前記複数の画像ファイルのサムネール画像に、画像ファイルを特定する画像特定符号を付した画像一覧を印刷するインデックス印刷工程と、１つまたは複数の選択画像を指定するための画像特定符号と、前記選択画像のレイアウトとを記入するレイアウトフォームを印刷するレイアウトフォーム印刷工程と、前記選択画像と選択画像のレイアウトとが記入済みのレイアウトフォームを画像情報として読み取るレイアウトフォーム読み取り工程と、前記レイアウトフォーム読み取り工程により読み取った画像情報から前記選択画像と選択画像のレイアウトとを判別するレイアウト判別工程と、前記レイアウト判別工程により判別した選択画像と選択画像のレイアウトとに基づいて選択画像を印刷するレイアウト印刷工程とをコンピュータに実行させることを特徴としている。
また、本発明のコンピュータプログラムの他の特徴とするところは、複数の画像ファイルからいくつかを選択し、選択した画像をレイアウトして印刷する画像印刷方法をコンピュータに実行させるプログラムにおいて、複数の画像ファイルのサムネール画像に画像ファイルを特定するためのマーク記入欄を付した画像一覧を印刷するインデックス印刷工程と、１つまたは複数の選択画像を指定するためのマークと、前記選択画像のレイアウトとを記入するレイアウトフォームを印刷するレイアウトフォーム印刷工程と、記入済みのインデックス印刷を画像情報として読み取るインデックス印刷読み取り工程と、記入済みのレイアウトフォームを画像情報として読み取るレイアウトフォーム読み取り工程と、前記読み取った画像情報から選択画像と選択画像のレイアウトとを判別するレイアウト判別工程と、前記レイアウト判別工程により判別した選択画像と選択画像のレイアウトに基づいて選択画像を印刷するレイアウト印刷工程とをコンピュータに実行させることを特徴としている。
【００１１】
本発明の記録媒体は、前記に記載のコンピュータプログラムを記録したことを特徴としている。
【００１２】
本発明の撮像装置は、複数の画像ファイルからいくつかの画像を選択し、前記選択した画像をレイアウトして印刷する画像印刷システムを構成する撮像装置であって、
前記複数の画像ファイルを生成する画像ファイル生成手段を有することを特徴としている。
【００１３】
本発明の画像印刷装置は、複数の画像ファイルからいくつかの画像を選択し、前記選択した画像をレイアウトして印刷する画像印刷システムを構成する印刷装置であって、前記複数の画像ファイルのサムネール画像に、画像ファイルを特定する画像特定符号を付した画像一覧を印刷するインデックス印刷手段と、１つまたは複数の選択画像を指定するための画像特定符号と、前記選択画像のレイアウトとを記入するレイアウトフォームを印刷するレイアウトフォーム印刷手段と、前記選択した選択画像と選択画像のレイアウトとに基づいて選択画像を印刷するレイアウト印刷手段とを有することを特徴としている。
また、本発明の画像印刷装置の他の特徴とするところは、複数の画像ファイルからいくつかを選択し、選択した画像をレイアウトして印刷する画像印刷装置において、複数の画像ファイルの縮小画像に画像ファイルを特定するためのマーク記入欄を付した画像一覧を印刷するインデックス印刷手段と、１つまたは複数の選択画像を指定するためのマークと、前記選択画像のレイアウトとを記入するレイアウトフォームを印刷するレイアウトフォーム印刷手段と、記入済みのインデックス印刷を画像情報として読み取るインデックス印刷読み取り手段と、記入済みのレイアウトフォームを画像情報として読み取るレイアウトフォーム読み取り手段と、前記読み取った画像情報から選択画像と選択画像のレイアウトとを判別するレイアウト判別手段と、前記レイアウト判別手段により判別した選択画像と選択画像のレイアウトに基づいて選択画像を印刷するレイアウト印刷手段とを有することを特徴としている。
【００１４】
本発明の読み取り装置は、複数の画像ファイルからいくつかの画像を選択し、前記選択した画像をレイアウトして印刷する画像印刷システムを構成する読み取り装置であって、所定の処理によって選択された選択画像と選択画像のレイアウトとが記入済みのレイアウトフォームを画像情報として読み取るレイアウトフォーム読み取り手段を有することを特徴としている。
【発明の効果】
【００１５】
本発明によれば、あらかじめ定められたレイアウトフォームを印刷し、そこに画像の画像特定符号あるいはインデックス印刷に記入したマークとレイアウトとを記入し、記入済のレイアウトフォームを画像情報として読み取り、前記レイアウトフォームの記入情報を入力し、選択画像及びレイアウトを判別して、レイアウト印刷を行うようにしたので、簡易な操作により、細かなレイアウト指定が可能となり、印刷装置の操作盤のような少ない操作手段しかもたない機器においても、細かなレイアウト指定を行いながら印刷を行うようにすることができる。
また、本発明によれば、レイアウト印刷のためのスクリプトファイルを生成することにより、厳密なレイアウトは保たれないにしても、類似のレイアウトで特定の印刷装置に限ることなく、レイアウト印刷可能な画像印刷システムを提供することができる。
【発明を実施するための最良の形態】
【００１６】
以下、本発明を実施するための最良の形態を、図面を用いながら説明する。
（第１の実施の形態）
図１は、本発明を実施した多機能周辺機器の構成を示すブロック図である。図１中、１はＣＰＵ、２はＲＯＭ、３はＲＡＭ、４は操作盤、５はハードディスクドライブ装置（ＨＤＤ）、６はカードインターフェース装置（ＣＩＦ）、７はコンパクトフラッシュ（登録商標）メモリ（ＣＦ）カード、８はスキャナエンジン、９はプリンタエンジン、１０はシステムバスを示し、１１は外部インターフェースを示す。
【００１７】
ＣＰＵ１、ＲＯＭ２、ＲＡＭ３、操作盤４、ハードディスクドライブ装置５、カードインターフェース装置６、スキャナエンジン８、プリンタエンジン９、外部インターフェース１１は、システムバス１０を介して互いに接続しており、ＣＰＵ１は、ＲＯＭ２に記憶したプログラムに基づいて、ＲＡＭ３を作業域として、システムバス１０を介して接続した装置を制御している。操作盤４は、操作ボタンと表示機とを備え、ユーザの操作の入力装置及び表示装置として機能するものである。
【００１８】
スキャナエンジン８は、画像読み取り装置であり、ＣＰＵ１の制御に従って画像情報を読み取り、この読み取った画像情報をシステムバス１０を介してＲＡＭ３に転送する。プリンタエンジン９は、ＣＰＵ１の制御に従ってＲＡＭ３に格納された、印刷イメージデータを含む印刷データを、システムバス１０を介して受け取って印刷する。
【００１９】
ハードディスクドライブ装置５は、スキャナエンジン８からＲＡＭ３に転送されたデータをファイルとして格納したり、ＲＡＭ３からプリンタエンジン９に転送する印刷データをファイルとして格納したりする。カードインターフェース装置６は、CFカード７を接続し、CFカード７からファイルを読み出したり、CFカード７にファイルを書き込んだりできるようにする。
【００２０】
外部インターフェース１１は、パーソナルコンピュータ（ＰＣ）などホストコンピュータと接続して通信可能にし、ホストコンピュータから多機能周辺機器の各機能にアクセス可能にする。
【００２１】
本実施の形態においては、CFカード７にはデジタルカメラ（図示せず）で撮影した画像ファイルが格納されており、ディレクトリ構造、ファイル名はJEITA規格であるDCF（Design rule for Camera File system）に従うものとする。
【００２２】
図２に、CFカード７のディレクトリ構造を例示する。ルートディレクトリの下にDCFイメージルートディレクトリ"DCIM"があり、その下に、３桁のディレクトリ番号と４文字の任意半角英数大文字からなるDCFディレクトリ名を持つDCFディレクトリがある。各DCFディレクトリの下には、３文字の任意半角英数大文字と４桁のファイル番号と拡張子とからなるDCFファイル名を持つDCFファイルがある。
【００２３】
本実施の形態においては、イメージファイルはExifフォーマットのJPEGファイルとする。また、本実施の形態においては、JPEGデコーダはソフトウェアで実装し、ＣＰＵ１が処理するものとするが、ハードウェアにより実装してもよい。また、デコードしたイメージを印刷サイズに合わせて拡大、縮小する処理もソフトウェアにより実装し、ＣＰＵ１により処理するものとする。もちろん、ハードウェアによるサポートを備えてもよい。これらは一般的に知られたものを用いればよいので、詳細な説明は省略する。
【００２４】
また、図示はしないが、本実施の形態において操作盤４には、インデックス印刷指示ボタン、及びレイアウトフォーム読み取り指示ボタンを備え、インデックス印刷指示ボタンの操作でインデックス印刷を開始し、レイアウトフォーム読み取り指示ボタンの操作で、レイアウトフォームの読み取りを行い、続いてレイアウト印刷を行うものとする。
【００２５】
次に、本実施の形態におけるインデックス印刷、及びレイアウトフォーム印刷について説明する。
図３に、本実施の形態におけるインデックス印刷の出力例を示す。
図３中、３０は用紙、３１ａはサムネールイメージ、３１ｂはインデックス番号（0001〜0020）、３９はインデックス印刷のID番号である。
【００２６】
ＣＰＵ１は、ＲＯＭ２に記憶したインデックス印刷出力プログラムに従って、CFカード７からイメージファイルを順に読み出して、当該ファイルのサムネールイメージ３１ａ、インデックス番号イメージを逐次展開して、印刷イメージを描画し、印刷データを作成してＲＡＭ３に格納し、プリンタエンジン９に転送して、用紙３０にインデックス印刷出力を行う。
【００２７】
サムネールイメージ３１ａは、CFカード７にサムネールファイルがあれば、それを用いてもよいし、イメージファイルからサムネールイメージ３１ａを作成してもよい。インデックス印刷のフォーマットに合わせて拡大縮小を適宜行う。
【００２８】
インデックス番号３１ｂは、DCFのファイル番号を用いてもよいし、インデックス印刷のID番号とインデックス番号３１ｂからファイル番号に対応付けられるようにしてもよい。インデックス印刷のID番号は、インデックス印刷出力と、CFカード７及びDCのFディレクトリを対応付けられるように、インデックス印刷に付すもので、例えば、CFカード７のVolume名、DCFのディレクトリ番号を組み合わせてもよい。また、インデックス印刷が複数ページにわたる場合には、ID番号に枝番号をつけてもよい。
【００２９】
図４に、本実施の形態におけるレイアウトフォーム印刷の出力例を示す。
図４中、４０は用紙、４１はレイアウト記入枠、４９はインデックス印刷のID番号である。インデックス印刷のID番号４９は、図３のインデックス印刷のID番号３９に対応するものである。
【００３０】
本実施の形態においては、イメージはアスペクト比「１：√２」の矩形とし、レイアウトフォームは、このような矩形のうちレイアウト可能な最小の矩形を格子状に配置している。ユーザは印刷したいイメージを配置したい位置にレイアウト枠に沿ってアスペクト比が「１：√２」の矩形を書き、矩形の中にイメージに対応するインデックス番号３１ｂを記入する。
【００３１】
図５に、本実施の形態におけるレイアウトフォームの記入例を示す。
図中、５０は用紙、５１はレイアウト記入枠、５９はインデックス印刷のID番号、５２ａ〜５７ａは記入したイメージ枠、５２ｂ〜５７ｂは記入したインデックス番号である。このように記入したレイアウトフォームをスキャナエンジンを操作して、読み取り、ユーザの指定したレイアウトを解釈して、指定されたイメージのレイアウト印刷を行う。
【００３２】
図６に、本実施の形態におけるレイアウト印刷の出力例を示す。
図６中、６０は用紙、６２〜６７はレイアウトされたイメージである。
このように記入済みレイアウトフォームに指定されたレイアウトで指定されたイメージを印刷する。
【００３３】
次に、記入済みレイアウトフォームをスキャナエンジンで読み取って得られた画像情報から、イメージのレイアウトを判別する方法を説明する。
まず、レイアウトフォームに記入されたインデックス番号から、インデックス番号の値の判定には一般的に知られている文字認識技術を用いるものとして、ここでは詳細は説明しない。また、記入された矩形の判定には、テンプレートマッチングの技術を用いるものとし、これも一般的に知られた技術を用いるものとして詳細は説明しない。
【００３４】
図７ａ〜７ｈに本実施の形態におけるレイアウトフォームに含まれる矩形のテンプレートのリストを示す。
本実施の形態におけるレイアウトフォームに記入できる矩形は図７ａ〜７ｈに限られる。先に記入済みのレイアウトフォームを読み取った画像情報の上を、これらテンプレート画像を、位置をずらしながらマッチングを取り、当該矩形の位置を判定する。
【００３５】
本実施の形態においては矩形の重なりを許すことにし、以下に重なり合う矩形の記入方法、及び読み取った後の判定方法について例を示しながら説明する。
図８ａ、８ｂに、本実施の形態におけるレイアウトフォームに記入された、重なり合う矩形の階層関係の第１の例を示す。
【００３６】
この第１の例では、ある矩形の１個の頂点が隠れるように別の矩形を重ねる場合を示し、図８ａはその記入例を示す。すなわち、２つの矩形８１及び８２において、前景となる矩形８２により隠される部分は書かないようにする。また、記入済みのレイアウトフォームを読み取って、矩形の位置判定を行う場合には、重なり合う矩形の辺の交点に注目し、交点で辺が途切れないほうを前景と判断し、途切れるほうを背景と判断する。つまり、図８ｂに示すように、矩形８１の背景に矩形８２があるものと判定する。
【００３７】
図９ａ、９ｂに、本実施の形態におけるレイアウトフォームに記入された、重なり合う矩形の階層関係の第２の例を示す。
この第２の例は、一方の矩形が、他方の矩形の一部分に完全に重なる場合を示す。
図９ａに示されるように矩形９１に矩形９２が完全に含まれるように記入された場合には、図９ｂに示すように矩形９１の前景に矩形９２があるものと判定する。
【００３８】
図１０ａ〜１０ｃに本実施の形態におけるレイアウトフォームに記入された、重なり合う矩形の階層関係の第３の例を示す。
この第３の例は、２通りの解釈が可能な場合の１例を示している。
図１０ａに示すように矩形１０１と矩形１０２が記入された場合、斜線を付した矩形１０１は、図１０ｂに示すような矩形１０１−１とも、図１０ｃに示すような、矩形１０１−２とも解釈可能である。このような場合には、画像のインデックス番号の記入方法で判断する。
【００３９】
図１１ａ、１１ｂに本実施の形態におけるレイアウトフォームに記入された、重なり合う矩形の階層関係の第３の例１を示す。
この第３の例１は、図１０ｂに示した矩形１０１−１のように判定する場合を示している。
図１１ａのように、矩形１１１及び矩形１１２において、矩形１１１のインデックス番号を記入した場合には、図１１ｂに示すように矩形１１１と矩形１１２とは重なり合わないものと判定する。
【００４０】
図１２ａ、１２ｂに本実施の形態におけるレイアウトフォームに記入された、重なり合う矩形の階層関係の第３の例２を示す。
この第３の例の２は、図１０ｃに示した矩形１０１−２のように判定する場合を示す。
図１２ａのように矩形１２１及び矩形１２２において、矩形１２１のインデックス番号を記入した場合には、図１２ｂに示すように矩形１２１が矩形１２２の背景になると判定する。
【００４１】
図１３ａ〜１３ｃに本実施の形態におけるレイアウトフォームに記入された、重なり合う矩形の階層関係の第４の例を示す。
この第４の例は、矩形の重なり方が判定できない例を示している。
図１３ａに示すように矩形１３１、矩形１３２を記入した場合には、各矩形の重なりの前後関係を判定することができない。したがって、この場合には、レイアウトフォームの読み取りエラーとなる。
【００４２】
しかし、図１３ｂに示すようにインデックス番号１３３が記入されている場合には、図１３ｃに示すように、矩形１３４が、矩形１３１及び矩形１３２の前景にあると判定する。この場合には、矩形１３１及び矩形１３２の前後関係は判定できないが、重なり部分は矩形１３４によって隠されるので、エラーとはしないようにすることができる。
【００４３】
以上、説明したように１枚のレイアウトフォームにより、いくつかの例外を除いては、重なり方も考慮して画像レイアウトを指定可能である。
本実施の形態においては、レイアウトフォームを１枚としたが、レイアウトフォームをレイヤーごとの複数枚として、レイヤーごとにそのレイヤー内では重なりの無い矩形を記入し、各レイヤーを重ね合わせる方法でもよい。
【００４４】
次に、記入済みのレイアウトフォームを読み取った画像情報から、以上のような判定に従って、１ページの印刷イメージを作成する方法を説明する。
図１４に本実施の形態におけるレイアウトイメージ管理表を示す。
レイアウトイメージ管理表はＲＡＭ３に格納され、１行の要素はイメージファイル番号、矩形の種類、X座標、Y座標、Z階層からなる。
【００４５】
図１４には、図５の記入例を読み取った場合のレイアウトイメージ管理表の内容を示している。イメージファイル番号は記入されたインデックス番号に対応するイメージファイルのファイル番号である。矩形の種類は、図７に示した矩形テンプレートのいずれかを示している。X座標、Y座標は矩形の用紙上での位置を示し、本実施の形態においては矩形の基準点、例えば左上の頂点の、ピクセル単位の座標値を示す。単位、基準点は管理しやすいものを用いればよく、ミリ単位でもインチ単位でも、また中心基準でもよい。Z階層はイメージの前景、背景を示すもので、本実施の形態においては数字の大きいものほど前景であることを示す。
【００４６】
これまで説明してきたように、記入済みフォームを読み取って、レイアウトするイメージのインデックス番号、矩形の種類、位置、階層関係を判定し、レイアウトイメージ管理テーブルを作成する。このイメージ管理表に従って、イメージファイルを順次読み出し、JPEGデコードして、印刷イメージに展開していく。そして、展開したイメージを、印刷データに変換して、プリンタエンジン９に転送して印刷を行う。
【００４７】
本実施の形態においては、画像を特定するためにインデックス番号を用い、インデックス印刷ではサムネール画像にインデックス番号を付して印刷し、レイアウトフォームにインデックス番号を記入して画像を選択しているが、これは画像を特定できる符号であればなんでもよくインデックス番号に制限するものではない。例えば、画像を特定する符号としてファイル名を用いてもよい。
【００４８】
また、本実施の形態においては、画像のアスペクト比を「１：√２」としているが、この比率に限定するものではない。例えば、レイアウトフォームを本実施の形態のように「１：√２」の矩形を格子状に並べて作って、画像が必ずしも「１：√２」のアスペクト比を持たない場合には、レイアウトフォームの矩形に収まるように画像をトリミングする、あるいは余白をつけてレイアウトフォームの矩形に当てはめてもよい。また、矩形からはみ出すように配置してもよい。また、画像の回転を考慮しなければレイアウトフォームを実際の画像のアスペクト比にあわせて作ってもよい。このような手法については、本発明の思想を変えることなく当業者が容易に適用できるものである。
【００４９】
なお、本実施の形態においては、１個の多機能周辺機器として実現した例を示しているが、例えば、図１５に示すように、パソコン１５１に、デジタルカメラ１５２、プリンタ１５３、及びスキャナ１５４等を接続し、パソコン１５１上で動作するアプリケーションとして実現してもよい。
【００５０】
また、記入済みのレイアウトフォームをスキャナ１５４で読み取って、レイアウトを決めているが、レイアウトフォームをデジタルカメラ１５２で撮影して、これを入力としてレイアウトを決めてもよい。
【００５１】
また、レイアウトイメージ管理表に基づいてXHTMLファイルを生成するようにしてもよい。このようにすれば、忠実なレイアウトの再現はできないにしても、他のプリンタにおいて類似のレイアウトで印刷することが可能になる。
【００５２】
本実施の形態においては、インデックス印刷とは別の用紙にレイアウトフォームを印刷しているが、レイアウトフォームを縮小して、インデックス印刷と同じ１枚の用紙に印刷してもよい。また、階層ごとの複数レイアウトフォームを用いる場合には、レイアウトフォームを縮小して、各階層のレイアウトフォームを１枚の用紙に印刷してもよい。
【００５３】
（第２の実施の形態）
本実施の形態の構成は、前述した第１の実施の形態の構成と同様に、図１に示す構成とする。
本実施の形態においては、デジタルカメラ（図示せず）はDPOF対応とする。DPOFでは図２に示したディレクトリ階層において、"MISC"ディレクトリの下にDPOF自動プリントファイルAUTPRNT.MRKがあり、DPOFライタであるデジタルカメラが書き込んだCFカード７を、読み込んだDPOFリーダは、AUTPRINT.MRKに記述されたプリントジョブに従って自動プリントを行う。
【００５４】
DPOF自動プリントに記述可能なプリントジョブには、画像とプリントサイズ、プリント枚数を指定するほかに、インデックス印刷や１枚に複数画像を指定するマルチプリントがある。本実施の形態の多機能周辺機器は、DPOF自動プリントファイルにインデックスプリントのジョブが記述されていると、第１の実施の形態に示したようにインデックス印刷を行うとともにレイアウトフォームを印刷する。
【００５５】
また、本実施の形態の多機能周辺機器は、記入済みのレイアウトフォームを読み取ると、第１の実施の形態に示したように、画像のインデックス番号、矩形の種類、位置を判定し、レイアウトイメージ管理表を作成する。同時にDPOF自動プリントファイルに指定された画像のマルチプリントジョブの記述を行う。また、先に作成したレイアウトイメージ管理表をCFカード７にファイルとして保存する。
【００５６】
本実施の形態は、DPOF自動プリントファイルのマルチプリントのジョブ記述を見つけると、複数画像の印刷を行う。このとき、レイアウトイメージ管理表のファイルが存在するときにはレイアウトイメージ管理表を読み出して、第１の実施の形態に示したように、レイアウト印刷を行う。
【００５７】
レイアウトイメージ管理表を理解しない他のDPOFリーダで読み出した場合には、そのDPOFリーダの仕様に従ってマルチプリントを行うのでDPOFとしての互換性は保たれる。レイアウトイメージ管理表を別ファイルとしたが、DPOFのベンダ機能として実現してもよい。
【００５８】
第１の実施の形態と同様に図１５のような構成でもよい。またデジタルカメラで記入済みのフォームを撮影してもよいのも同様である。また、レイアウトイメージ管理表に基づいてXHTMLファイルを生成するようにしてもよい。このようにすれば、DPOFに対応しない、他のプリンタにおいて類似のレイアウトで印刷することが可能になる。
【００５９】
（第３の実施の形態）
本実施の形態は、第１の実施の形態および第２の実施の形態において、インデックス番号で画像を特定し、レイアウトフォームにインデックス番号を記入することで画像を選択しているところを、インデックス印刷のサムネール画像にマークを記入し、レイアウトフォームにも同じマークを記入することにより、画像の特定および選択をするようにしたものである。
【００６０】
本実施の形態の構成は第１の実施の形態の構成と同様に、図１のような構成とする。
図１６は、本実施の形態におけるインデックス印刷の出力例を示す。
図１６中、１６００は用紙、１６０１ａはサムネールイメージ、１６０１ｂはインデックス番号及びマーク記入欄、１６０９はインデックス印刷のID番号である。第１の実施の形態と同様に、インデックス印刷出力プログラムに従ってインデックス印刷出力を行う。ただし、本実施の形態においては第１の実施の形態とは異なり、インデックス番号にマーク記入欄を付して印刷出力する。後述するように、画像選択のためにこのマークを使用する。
【００６１】
図１７は、本実施の形態におけるレイアウトフォームの出力例を示す。
図１７中、１７００は用紙、１７０１ａはレイアウト記入枠、１７０１ｂはマーク記入欄、１７０９はインデックス印刷のID番号で、インデックス印刷のID番号１７０９は図１６のインデックス印刷のID番号１６０９に対応するものである。レイアウトフォームの記入枠は第１の実施の形態図４のレイアウトフォーム記入枠と同様とする。マーク記入欄１７０１ｂは図１６のマーク記入欄同様画像選択のために使用する。
【００６２】
図１８は、本実施の形態におけるインデックス印刷の記入例を示す。
図１８中、１８００は用紙、１８０２ａ〜１８０７ａは選択する画像のサムネール、１８０２ｂ〜１８０７ｂは選択する画像のマーク記入欄の記入例、１８０９はインデックス印刷のID番号で、インデックス印刷のID番号１８０９は図１６のインデックス印刷のID番号１６０９に対応するものである。
【００６３】
この例では、マーク記入欄１８０２ｂにはマーク「■□□□」、１８０３ｂには「□■□□」、１８０４ｂには「■■□□」、１８０５ｂには「□□■□」、１８０６ｂには「■□■□」、１８０７ｂには「□■■□」を記入しており、それぞれの画像を区別できるように異なるマークを記入する。
【００６４】
図１９は、本実施の形態におけるレイアウトフォームの記入例を示す。
図１９中、１９００は用紙、１９０２ａ〜１９０７ａは記入したイメージ枠、１９０２ｂ〜１９０７ｂはマーク記入欄に記入したマークの記入例、１９０９はインデックス印刷のID番号で、インデックス印刷のID番号１９０９は図１６のインデックス印刷のID番号１６０９に対応するものである。
【００６５】
この例では、マーク記入欄１９０２ｂにはマーク「■□□□」、１９０３ｂには「□■□□」、１９０４ｂには「■■□□」、１９０５ｂには「□□■□」、１９０６ｂには「■□■□」、１９０７ｂには「□■■□」を記入しており、マークの向きを区別できるように下線を付している。
【００６６】
１９０２ｂ〜１９０７ｂに記入したマークは、それぞれ１８０２ｂ〜１８０７ｂに記入したマークと同じもので、それぞれの位置にそれぞれのイメージを配置することを指示するものである。
【００６７】
このように記入した、インデックス印刷とレイアウトフォームをスキャナで読み取り、選択画像およびレイアウトを判別して、レイアウト印刷を行う。
まず、記入済みのインデックス印刷を読み取り、選択画像のマークと画像ファイルの対応付けを行う。この例では１５種類のマークが記入可能であり、マークの種類とマークされた画像の画像ファイルの対応をテーブルに記憶する。
【００６８】
次に、記入済みのレイアウトフォームを読み取り、第１の実施の形態と同様にレイアウトを判別し、また記入されたマークの種類を判別する。ここで、先に記入済みのインデックス印刷を読み取って得たマークの種類と画像の対応テーブルと、第１の実施の形態と同様のレイアウト判別により、図１４に示したレイアウトイメージ管理表を作成する。
あとは第１の実施の形態と同様にレイアウトイメージ管理表に基づいて印刷データを作成し、レイアウト印刷を行う。
【００６９】
本実施の形態においては、４つの「□□□□」のうち、いくつかの「□」を塗りつぶすことによりマークを記入しているが、マークはこれに限るものではない。
また、本実施の形態においては、レイアウトフォームに記入したときマークの向きがわかるようにマークに下線を付したが、この方法に限定するものではなく、本発明の思想を変えずに当業者が適用しうる方法であれば何でもよい。
【００７０】
（本発明に係る他の実施の形態）
上述した本発明の実施の形態における画像印刷システムを構成するインデックス印刷手段、レイアウトフォーム印刷手段、レイアウトフォーム読み取り手段、レイアウト判別手段、レイアウト印刷手段、スクリプトファイル生成手段及びインデックス印刷読み取り手段、並びに画像印刷方法の各ステップは、コンピュータのＲＡＭやＲＯＭなどに記憶されたプログラムが動作することによって実現できる。このプログラム及び上記プログラムを記録したコンピュータ読み取り可能な記憶媒体は本発明に含まれる。
【００７１】
具体的に、上記プログラムは、例えばＣＤ−ＲＯＭのような記録媒体に記録し、或いは各種伝送媒体を介し、コンピュータに提供される。上記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００７２】
また、コンピュータが供給されたプログラムを実行することにより上述した実施の形態における各機能が実現されるだけでなく、そのプログラムがコンピュータにおいて稼働しているＯＳ（オペレーティングシステム）或いは他のアプリケーションソフト等と共同して上述した実施の形態の各機能が実現される場合や、供給されたプログラムの処理の全て或いは一部がコンピュータの機能拡張ボードや機能拡張ユニットにより行われて上述した実施の形態における各機能が実現される場合も、かかるプログラムは本発明に含まれる。
【図面の簡単な説明】
【００７３】
【図１】第１の実施の形態の構成例を示し、多機能周辺機器の一例を示すブロック図である。
【図２】CFカードのディレクトリ階層を示す図である。
【図３】インデックス印刷の出力例を示す図である。
【図４】レイアウトフォーム出力例を示す図である。
【図５】レイアウトフォーム記入例を示す図である。
【図６】レイアウト印刷の出力例を示す図である。
【図７−ａ】矩形テンプレートリストの一例を示し、矩形が１個の例を示す図である。
【図７−ｂ】矩形テンプレートリストの一例を示し、矩形が上下方向に２個の例を示す図である。
【図７−ｃ】矩形テンプレートリストの一例を示し、矩形が４個の例を示す図である。
【図７−ｄ】矩形テンプレートリストの一例を示し、矩形が８個の例を示す図である。
【図７−ｅ】矩形テンプレートリストの一例を示し、矩形が９個の例を示す図である。
【図７−ｆ】矩形テンプレートリストの一例を示し、矩形が１６個の例を示す図である。
【図７−ｇ】矩形テンプレートリストの一例を示し、矩形が１８個の例を示す図である。
【図７−ｈ】矩形テンプレートリストの一例を示し、矩形が３２個の例を示す図である。
【図８−ａ】重なり合う矩形の階層関係の第１の例を示し、重なった状態を示す図である。
【図８−ｂ】重なり合う矩形の階層関係の第１の例を示し、背景と前景とに分けた状態を示す図である。
【図９−ａ】重なり合う矩形の階層関係の第２の例を示し、重なった状態を示す図である。
【図９−ｂ】重なり合う矩形の階層関係の第２の例を示し、背景と前景とに分けた状態を示す図である。
【図１０−ａ】重なり合う矩形の階層関係例の第３の例を示し、２つの画像が重なった状態を示す図である。
【図１０−ｂ】重なり合う矩形の階層関係例の第３の例を示し、一方の画像が２つの矩形である場合を示す図である。
【図１０−ｃ】重なり合う矩形の階層関係例の第３の例を示し、一方の画像が４つの矩形である場合を示す図である。
【図１１−ａ】重なり合う矩形の階層関係例の第３の例１を示し、２つの画像が重なった状態を示す図である。
【図１１−ｂ】重なり合う矩形の階層関係例の第３の例１を示し、インデックス番号を記入した場合には、２つの画像は重ならない様子を示す図である。
【図１２−ａ】重なり合う矩形の階層関係例の第３の例２を示し、２つの画像が重なった状態を示す図である。
【図１２−ｂ】重なり合う矩形の階層関係例の第３の例２を示し、インデックス番号を記入した場合には、２つの画像は重ならない様子を示す図である。
【図１３−ａ】重なり合う矩形の階層関係例の第４の例を示し、各矩形の重なりの前後関係を判定することができなくて、レイアウトフォームの読み取りエラーとなる様子を示す図である。
【図１３−ｂ】重なり合う矩形の階層関係例の第４の例を示し、インデックス番号が記入されている場合を示す図である。
【図１３−ｃ】重なり合う矩形の階層関係例の第４の例を示し、インデックス番号が記入されていることにより、一方の矩形が他方の矩形の前景にあると判定する様子を示す図である。
【図１４】レイアウトイメージ管理表の一例を示す図である。
【図１５】ハード構成の他の例を示すブロック図である。
【図１６】インデックス印刷の出力例を示す図である。
【図１７】レイアウトフォーム出力例を示す図である。
【図１８】インデックス印刷記入例を示す図である。
【図１９】レイアウトフォーム記入例を示す図である。
【符号の説明】
【００７４】
１  ＣＰＵ
２  ＲＯＭ
３  ＲＡＭ
４  操作盤
５  ハードディスクドライブ装置
６  カードインターフェース装置
７  ＣＦカード
８  スキャナエンジン
９  プリンタエンジン
１０  システムバス
１１  外部インターフェース
【図１】
2006115019.tif 000003
【図２】
2006115019.tif 000004
【図３】
2006115019.tif 000005
【図４】
2006115019.tif 000006
【図５】
2006115019.tif 000007
【図６】
2006115019.tif 000008
【図７−ａ】
2006115019.tif 000009
【図７−ｂ】
2006115019.tif 000010
【図７−ｃ】
2006115019.tif 000011
【図７−ｄ】
2006115019.tif 000012
【図７−ｅ】
2006115019.tif 000013
【図７−ｆ】
2006115019.tif 000014
【図７−ｇ】
2006115019.tif 000015
【図７−ｈ】
2006115019.tif 000016
【図８−ａ】
2006115019.tif 000017
【図８−ｂ】
2006115019.tif 000018
【図９−ａ】
2006115019.tif 000019
【図９−ｂ】
2006115019.tif 000020
【図１０−ａ】
2006115019.tif 000021
【図１０−ｂ】
2006115019.tif 000022
【図１０−ｃ】
2006115019.tif 000023
【図１１−ａ】
2006115019.tif 000024
【図１１−ｂ】
2006115019.tif 000025
【図１２−ａ】
2006115019.tif 000026
【図１２−ｂ】
2006115019.tif 000027
【図１３−ａ】
2006115019.tif 000028
【図１３−ｂ】
2006115019.tif 000029
【図１３−ｃ】
2006115019.tif 000030
【図１４】
2006115019.tif 000031
【図１５】
2006115019.tif 000032
【図１６】
2006115019.tif 000033
【図１７】
2006115019.tif 000034
【図１８】
2006115019.tif 000035
【図１９】
2006115019.tif 000036